(57)【要約】【課題】内容物が膨張性のものや浸透性のものの場合でも液漏れや外気侵入の防止機能を向上させ得るシールキャップを提供すること。【解決手段】容器本体の開口部の外周面に螺旋状に形成された雄ネジ部に螺合装着される雌ネジ部を内周面に形成したキャップ本体の内天井面に容器本体の開口部の内周面に密着嵌合する環状内壁を垂設形成し、この環状内壁よりも外側の前記内天井面に容器本体の開口部の頂面に当接する環状突起を下向きに突出させて形成してあり、前記環状内壁及び環状突起は、キャップ本体と同一材質でキャップ本体と一体成形されている。【選択図】図１
0003153224.tif 000002
【実用新案登録請求の範囲】
【請求項１】
容器本体の開口部の外周面に螺旋状に形成された雄ネジ部に螺合装着される雌ネジ部を内周面に形成したキャップ本体の内天井面に容器本体の開口部の内周面に密着嵌合する環状内壁を垂設形成し、この環状内壁よりも外側の前記内天井面に容器本体の開口部の頂面に当接する環状突起を下向きに突出させて形成してあり、前記環状内壁及び環状突起は、キャップ本体と同一材質でキャップ本体と一体成形されていることを特徴とするシールキャップ。
【請求項２】
前記環状内壁の下端外周面には、テーパー状案内面が形成してあることを特徴とする請求項１に記載のシールキャップ。
【請求項３】
前記キャップ本体の下端には、容器本体の開口部の雄ネジ部の下側外周面に形成された環状凸部に係合する抜け止め用環状突起を内周面に有する開封確認用リングがキャップ本体の周方向複数箇所で細い連結片を介して連結してあることを特徴とする請求項１又は２に記載のシールキャップ。
【考案の詳細な説明】
【技術分野】
【０００１】
本考案は、液体材料や粉粒体材料を充填したボトル等の容器の開口部に適用するためのシールキャップに関するものである。
【背景技術】
【０００２】
従来、液体材料や粉粒体材料をボトルに密封充填するためにキャップの内天井面にスチレン系熱可塑性エラストマーからなるシールパッキンを装着したものが公知である（例えば、特許文献１参照）。
【先行技術文献】
【特許文献】
【０００３】
【特許文献１】特開平１０−１２００１５号公報
【考案の概要】
【考案が解決しようとする課題】
【０００４】
しかしながら、上記シールキャップは、シールパッキンがキャップ本体とは異質のスチレン系熱可塑性エラストマーからなるものであるため、内容物が膨張性のものや浸透性のものの場合、液漏れや外気侵入が発生する場合があり、シール性に対する信頼性が十分ではなかった。
本考案は、内容物が膨張性のものや浸透性のものの場合でも液漏れや外気侵入の防止機能を向上させ得るシールキャップを提供することを目的としている。
【課題を解決するための手段】
【０００５】
前記目的を達成するために本考案は、容器本体の開口部の外周面に螺旋状に形成された雄ネジ部に螺合装着される雌ネジ部を内周面に形成したキャップ本体の内天井面に容器本体の開口部の内周面に密着嵌合する環状内壁を垂設形成し、この環状内壁よりも外側の前記内天井面に容器本体の開口部の頂面に当接する環状突起を下向きに突出させて形成してあり、前記環状内壁及び環状突起は、キャップ本体と同一材質でキャップ本体と一体成形されていることを特徴としている。
この構成によれば、キャップ本体を容器本体の開口部に螺合装着したとき、環状内壁の外周面が容器本体の開口部の内周面に密着嵌合することと、環状突起が容器本体の開口部の頂面に当接することとによって、シール性が向上し、例えば、容器本体内に充填される内容物が膨張性のものである場合では、環状内壁が容器本体の開口部の内周面に益々強く密着することになり、また、浸透性のものの場合でも、環状内壁及び環状突起がキャップ本体と同一材質でキャップ本体と一体形成されているため、劣化せず、液漏れや外気侵入を確実に防止することができる。
【０００６】
前記環状内壁の下端外周面には、テーパー状案内面が形成してある。
この構成によれば、キャップ本体を容器本体に螺合装着する際、テーパー状案内面が環状内壁を容器本体の開口部内周面に誘導案内してスムーズに密着嵌合させることができる。
前記キャップ本体の下端には、容器本体の開口部の雄ネジ部の下側外周面に形成された環状凸部に係合する抜け止め用環状突起を内周面に有する開封確認用リングがキャップ本体の周方向複数箇所で細い連結片を介して連結してある。
【０００７】
この構成によれば、容器本体に充填された内容物を取り出すためにキャップ本体を螺合解除方向に回動させると、雄ネジ部に対する雌ネジ部の螺合関係により、キャップ本体が容器本体の開口部から抜け出す方向に移動し、この移動に対して、抜け止め用環状突起が容器本体の開口部の環状凸部に係合していることによって開封確認用リングの移動が阻止され、細い連結片が破断されて開封確認用リングが容器本体の開口部に残ったままとなる。これによって、キャップ本体の開封の有無を容易に確認することができる。また、容器本体内の内容物の膨張力によってキャップ本体が容器本体の開口部に対して螺合解除方向に回動しようとすることを開封確認用リングで防止させることができる。
【考案の効果】
【０００８】
本考案によれば、内容物が膨張性のものや浸透性のものの場合でも液漏れや外気侵入の防止機能を向上させ得るシールキャップを提供することができる。
【図面の簡単な説明】
【０００９】
【図１】本考案に係るシールキャップを容器本体に装着した状態の正面図であって、左半分は縦断面図で示している。
【図２】シールキャップ単体の要部拡大断面図である。
【考案を実施するための形態】
【００１０】
以下、本考案の実施形態を図面を参照して説明する。
本考案のシールキャップは、図１、図２に示すように、容器本体１の開口部２の外周面に螺旋状に形成された雄ネジ部３に螺合装着される雌ネジ部４を内周面に形成したキャップ本体５の内天井面６に容器本体１の開口部２の内周面に密着嵌合する環状内壁７を垂設形成し、この環状内壁７よりも外側の前記内天井面６に容器本体１の開口部２の頂面に当接する環状突起８を下向きに突出させて形成してあり、前記環状内壁７及び環状突起８は、キャップ本体５と同一材質でキャップ本体５と一体成形されている。
【００１１】
前記環状内壁７の下端外周面には、テーパー状案内面７ａが形成してある。
前記キャップ本体５の下端には、容器本体１の開口部２の雄ネジ部３の下側外周面に形成された環状凸部９に係合する抜け止め用環状突起１０を内周面に有する開封確認用リング１１がキャップ本体５の周方向複数箇所で細い連結片１２を介して連結してある。
キャップ本体５は、ＰＰ（ポリプロピレン）、又は、他のプラスチック材料で射出成形されており、外周面には、ローレット加工による滑り止め加工面１３が施されている。
容器本体１は、ＨＤＰＥ（高密度ポリエチレン）、又は、他のプラスチック材料で射出成形されており、外周面には、内容物の量を表示する目盛り１４が施されている。
【００１２】
本考案のシールキャップは、上記構成からなるため、キャップ本体５を容器本体１の開口部２に螺合装着したとき、環状内壁７の外周面が容器本体１の開口部２の内周面に密着嵌合することと、環状突起８が容器本体１の開口部２の頂面に当接することとによって、シール性が向上し、例えば、容器本体１内に充填される内容物が膨張性のものである場合では、環状内壁７が容器本体１の開口部２の内周面に益々強く密着することになり、また、浸透性のものの場合でも、環状内壁７及び環状突起８がキャップ本体５と同一材質でキャップ本体５と一体形成されているため、劣化せず、液漏れや外気侵入を確実に防止することができる。
【００１３】
前記環状内壁７の下端外周面には、テーパー状案内面７ａが形成してあることによって、キャップ本体５を容器本体１の開口部２に螺合装着する際、テーパー状案内面７ａが環状内壁７を容器本体１の開口部２の内周面に誘導案内してスムーズに密着嵌合させることができる。
また、前記キャップ本体５の下端には、容器本体１の開口部２の雄ネジ部３の下側外周面に形成された環状凸部９に係合する抜け止め用環状突起１０を内周面に有する開封確認用リング１１がキャップ本体５の周方向複数箇所で細い連結片１２を介して連結してあるため、容器本体１に充填された内容物を取り出すためにキャップ本体５を螺合解除方向に回動させると、雄ネジ部３に対する雌ネジ部４の螺合関係により、キャップ本体５が容器本体１の開口部２から抜け出す方向に移動し、この移動に対して、抜け止め用環状突起１０が容器本体１の開口部２の環状凸部９に係合していることによって開封確認用リング１１の移動が阻止され、細い連結片１２が破断されて開封確認用リング１１が容器本体１の開口部２に残ったままとなる。これによって、キャップ本体５の開封の有無を容易に確認することができる。
【産業上の利用可能性】
【００１４】
本考案のシールキャップは、プラスチック製ボトル、金属製ボトル、ガラス製ボトル等の各種の容器本体の開口部を密封する手段に広く利用することができる。
【符号の説明】
【００１５】
１    容器本体
２    開口部
３    雄ネジ部
４    雌ネジ部
５    キャップ本体
６    内天井面
７    環状内壁
８    環状突起
９    環状凸部
１０    抜け止め用環状突起
１１    開封確認用リング
１２    細い連結片
１３    滑り止め加工面
１４    目盛り
【図１】
0003153224.tif 000003
【図２】
0003153224.tif 000004